(57)【要約】【課題】ボックスに対し収納袋が交換自在であると共に、該ボックスが自立性を有し、かつ、該ボックスが折り畳み自在であるようにした圧縮収納ボックスを提供する。【解決手段】可撓性材料により略直方体状に形成されたボックス１と該ボックス内に配設された収納袋３とよりなり、被収納物を該収納袋内に収納し、該収納袋内を脱気することにより該被収納物をコンパクトに圧縮した状態で収納するようにした圧縮収納ボックスにおいて、前記収納袋３内における底部２２上には折り畳み自在の略長方形状の底板２１を配設し、前記ボックス内における底部９上には該収納袋の底部を係脱自在に係止する収納袋係止手段２９を配設し、該ボックス内には該ボックスに自立性を与える自立性付与板３３を折り畳み自在に配設し、該自立性付与板を折り畳んだときには該ボックスを折り畳むことができるようにした圧縮収納ボックス。【選択図】図１
0003155798.tif 000002
【実用新案登録請求の範囲】
【請求項１】
可撓性材料により略直方体状に形成されたボックスと該ボックス内に配設された収納袋とよりなり、被収納物を該収納袋内に収納し、該収納袋内を脱気することにより該被収納物をコンパクトに圧縮した状態で収納するようにした圧縮収納ボックスにおいて、
前記収納袋内における底部上には折り畳み自在の略長方形状の底板を配設し、前記ボックス内における底部上には該収納袋の底部を係脱自在に係止する収納袋係止手段を配設し、該ボックス内には該ボックスに自立性を与える自立性付与板を折り畳み自在に配設し、該自立性付与板を折り畳んだときには該ボックスを折り畳むことができるようにしたことを特徴とする圧縮収納ボックス。
【請求項２】
前記収納袋係止手段は、前記ボックス内の底部上における各隅部に該底部の上面との間に前記収納袋における底部の隅部を挿入する隙間を設けて取り付けた第一の可撓性材料片であることを特徴とする請求項１に記載の圧縮収納ボックス。
【請求項３】
前記自立性付与板は略長方形状本体における相対向する一対の側縁にそれぞれ略長方形状の側板を該側縁を回動中心として回動自在に延設してなり、一対の当該自立性付与板における該略長方形状本体を前記ボックスにおける相対向する壁部内面にそれぞれ取り付け、該ボックスにおける該壁部内面と直角方向に連続する二つの隣接壁部内面には各自立性付与板における各側板を係脱自在に係止する側板係止手段を配設したことを特徴とする請求項１に記載の圧縮収納ボックス。
【請求項４】
前記側板係止手段は、前記各隣接壁部内面における前記各側板の角部に対応する位置に該隣接壁部内面との間に該側板の角部を挿入する隙間を設けて取り付けた第二の可撓性材料片であることを特徴とする請求項３に記載の圧縮収納ボックス。
【考案の詳細な説明】
【技術分野】
【０００１】
本考案は、圧縮収納ボックスに関するものであり、更に詳しくは、可撓性材料により形成されたボックスと該ボックス内に配設された収納袋とよりなり、布団、毛布、衣類等の被収納物を該収納袋内に収納し、該収納袋内を脱気することにより該被収納物をコンパクトに圧縮した状態で収納するようにした圧縮収納ボックスに係るものである。
【０００２】
本出願においては、収納袋内に収納される布団、毛布、衣類等の被収納物を単に「被収納物」という。
【背景技術】
【０００３】
圧縮収納ボックスとしては、可撓性材料により形成されたボックスと該ボックス内に配設された収納袋とよりなり、被収納物を該収納袋内に収納し、該収納袋内を脱気することにより該被収納物をコンパクトに圧縮した状態で収納するようにしたもの（以下、「従来の圧縮収納ボックス」という。）が既に使用されている。
【０００４】
従来の圧縮収納ボックスは、例えば実用新案登録第３１０４４２７号公報にもその一例が記載されている。
【先行技術文献】
【特許文献】
【０００５】
【特許文献１】実用新案登録第３１０４４２７号公報
【考案の概要】
【考案が解決しようとする課題】
【０００６】
上記従来の圧縮収納ボックスにおいては、次のような問題がある。
【０００７】
（イ）収納袋がボックス内の固定されているため、ボックスに対し収納袋を交換することができない。
【０００８】
（ロ）ボックスは可撓性材料により形成されているため、収納袋内に被収納物が収納されていないときには、該ボックスは自立性を有しない。したがって、該ボックスは外観上好ましくない。
【０００９】
このような状況に鑑み、本考案は、ボックスに対し収納袋が交換自在であると共に、該ボックスが自立性を有し、かつ、該ボックスが折り畳み自在であるようにした圧縮収納ボックスを提供しようとしてなされたものである。
【課題を解決するための手段】
【００１０】
上記課題を解決するために、本考案は、下記の圧縮収納ボックスを提供するものである。
【００１１】
（１）可撓性材料により略直方体状に形成されたボックスと該ボックス内に配設された収納袋とよりなり、被収納物を該収納袋内に収納し、該収納袋内を脱気することにより該被収納物をコンパクトに圧縮した状態で収納するようにした圧縮収納ボックスにおいて、
前記収納袋内における底部上には折り畳み自在の略長方形状の底板を配設し、前記ボックス内における底部上には該収納袋の底部を係脱自在に係止する収納袋係止手段を配設し、該ボックス内には該ボックスに自立性を与える自立性付与板を折り畳み自在に配設し、該自立性付与板を折り畳んだときには該ボックスを折り畳むことができるようにしたことを特徴とする圧縮収納ボックス（請求項１）。
【００１２】
（２）前記収納袋係止手段は、前記ボックス内の底部上における各隅部に該底部の上面との間に前記収納袋における底部の隅部を挿入する隙間を設けて取り付けた第一の可撓性材料片である（請求項２）。
【００１３】
（３）前記自立性付与板は略長方形状本体における相対向する一対の側縁にそれぞれ略長方形状の側板を該側縁を回動中心として回動自在に延設してなり、一対の当該自立性付与板における該略長方形状本体を前記ボックスにおける相対向する壁部内面にそれぞれ取り付け、該ボックスにおける該壁部内面と直角方向に連続する二つの隣接壁部内面には各自立性付与板における各側板を係脱自在に係止する側板係止手段を配設する（請求項３）。
【００１４】
（４）前記側板係止手段は、前記各隣接壁部内面における前記各側板の角部に対応する位置に該隣接壁部内面との間に該側板の角部を挿入する隙間を設けて取り付けた第二の可撓性材料片である（請求項４）。
【考案の効果】
【００１５】
［請求項１の考案］
収納袋内における底部上には折り畳み自在の略長方形状の底板を配設し、ボックス内における底部上には該収納袋の底部を係脱自在に係止する収納袋係止手段を配設しているため、収納袋は必要に応じてボックスから取り外すことができる。すなわち、収納袋は交換自在である。なお、収納袋の底部を収納袋係止手段によりボックス内の底部に係止したときには、被収納物を該収納袋に容易に収納することができることはいうまでもない。
【００１６】
収納袋内の底板は折り畳み自在であるため、該収納袋はコンパクトに折り畳むことができる。
【００１７】
ボックス内には該ボックスに自立性を与える自立性付与板を折り畳み自在に配設しているため、該ボックスは自立性を備える。したがって、収納袋内に被収納物が収納されていないときでも、該ボックスは自立し、好ましい外観を呈する。
【００１８】
自立性付与板を折り畳んだときにはボックスを折り畳むことができるようにしたため、収納袋がコンパクトに折り畳むことができることと相俟って、圧縮収納ボックス全体をコンパクトに折り畳むことができる。したがって、圧縮収納ボックス全体をコンパクトに折り畳むことにより、圧縮収納ボックスは梱包、運搬、陳列等の際に極めて好ましいものとなる。
【００１９】
［請求項２の考案］
収納袋をボックス内の底部に係止する際には、ボックス内の底部上における各隅部に取り付けられた第一の可撓性材料片とボックス内の底部との間の隙間に底板を含む収納袋の底部を挿入するだけでよく、この作業は極めて簡単である。また、収納袋をボックスから取り出す際には、単に収納袋の底部を第一の可撓性材料片とボックス内の底部との間の隙間から引き抜くだけでよく、この作業も極めて簡単である。
【００２０】
［請求項３の考案］
一対の自立性付与板における略長方形状本体をボックスにおける相対向する壁部内面にそれぞれ取り付け、該自立性付与板の各側板を該壁部内面と直角方向に連続する二つの隣接壁部内面の側板係止手段に係止させたときには、ボックスの４壁部が自立性付与板により保持された状態となる。したがって、収納袋内に被収納物が収納されていないときでも、ボックスが自立するのみならず、複数個のボックスを上下方向に積み重ね、或いは、各ボックスを壁部が接地した状態で配設することもできる。
【００２１】
また、自立性付与板における各側板を側板係止手段から取り外し、各側板を略長方形状本体における側縁を回動中心として回動させて該略長方形状本体に重ねたときには、各自立性付与板全体がボックスの一壁部のみを保持する状態となるため、ボックスは折り畳み可能となる。
【００２２】
［請求項４の考案］
自立性付与板の各側板を前記隣接壁部内面に係止させる際には、該隣接壁部内面における前記各側板の角部に対応する位置に取り付けられた第二の可撓性材料片と該隣接壁部内面との間に該側板の角部を挿入するだけでよく、この作業は極めて簡単である。また、該側板を第二の可撓性材料片から外す際には、単に該側板を第二の可撓性材料片と該隣接壁部内面との間の隙間から引き抜くだけでよく、この作業も極めて簡単である。
【図面の簡単な説明】
【００２３】
【図１】図１は、本考案による圧縮収納ボックスの一例を示す斜視図である。
【図２】図２は、同上圧縮収納ボックスを示す断面図である。
【図３】図３は、収納袋の断面図である。
【図４】図４は、ボックスの断面図である。
【図５】図５は、ボックスの別の断面図である。
【図６】図６は、自立性付与板の一例を示す斜視図である。
【図７】図７は、収納袋をボックスの底部に係止した状態を示す断面図である。
【図８】図８は、収納袋内における底部上に配設された底板の一例を示す断面図である。
【図９】図９は、自立性付与板の一例を示す断面図である。
【図１０】図１０は、収納袋係止手段の一例を示す断面図である。
【図１１】図１１は、側板係止手段の一例を示す断面図である。
【考案を実施するための形態】
【００２４】
本考案の圧縮収納ボックスは、従来の圧縮収納ボックスと同様に、可撓性材料により略直方体状に形成されたボックス１と該ボックス１内に配設された収納袋３とよりなり、被収納物を該収納袋３内に収納し、該収納袋３内を脱気することにより該被収納物をコンパクトに圧縮した状態で収納するようにしたものである。
【００２５】
ボックス１は、例えば布、合成樹脂等の可撓性材料により略直方体状に形成される。
【００２６】
すなわち、ボックス１は、相対向する二つの壁部５、５と、該壁部５、５と直角方向に連続する二つの隣接壁部７、７と、底部９と、蓋部１１とよりなる。壁部５、５の外面には取っ手１２が取り付けられている。
【００２７】
壁部５又は隣接壁部７には、合成樹脂等により形成された透明な窓部１３を備えさせる。
【００２８】
収納袋３は合成樹脂により形成し、一端に被収納物の出し入れ口１５を備えている。出し入れ口１５には該出し入れ口１５を密閉するためのファスナー１７を備えさせる。
【００２９】
収納袋３は排気弁１９を有する。収納袋３内を脱気する際には、被収納物を該収納袋３内に収納し、ファスナー１７により出し入れ口１５を密閉した状態で、電気掃除機等の吸引装置の吸引ノズルを該排気弁１９に押し当て、該吸引装置を作動させる。
【００３０】
被収納物を収納袋３内に収納し、該収納袋３内を脱気した後、ボックス１に備えさせたベルト２０により該収納袋３を縛着することにより、脱気した収納袋３内の気密性が万一失われたときに、布団等の被収納物が膨張することを防止し、以てボックス１の形状を保持させるようになす。
【００３１】
ボックス１の蓋部１１は、ボックス１における前記隣接壁部７の上縁に延設され、一例としてスライドファスナー２４を介してボックス１に対し開閉自在となす。
【００３２】
しかして、本考案においては、収納袋３内における底部２２上には折り畳み自在の略長方形状の底板２１を配設する。
【００３３】
略長方形状の底板２１は、一例として、一対の底板構成部２１ａ、２１ｂを中央線２３にて折り曲げ自在に連結してなるものとする。
【００３４】
図８に示す事例においては、底板２１は、合成樹脂板、木板、段ボール板、厚紙板等の芯材２５ａ、２５ｂを布製袋２７内に相互に隔離した状態で収納することにより、前記一対の底板構成部２１ａ、２１ｂを形成し、芯材２５ａと芯材２５ｂとの間の布製袋２７部を逢着して折り曲げ自在の前記中央線２３を形成している。
【００３５】
ボックス１内における底部９上には収納袋３の底部２２を係脱自在に係止する収納袋係止手段２９を配設する。
【００３６】
収納袋係止手段２９は、一例として、ボックス１内の底部９上における各隅部９ａに該底部９の上面との間に収納袋９における底部２２の隅部２２ａを挿入する隙間３１を設けて取り付けた第一の可撓性材料片である。図１０参照。
【００３７】
収納袋係止手段２９たる第一の可撓性材料片は、一例として、略三角形状の布片とする。この布片は、ボックス１内の底部９上における各隅部９ａに逢着する。
【００３８】
ボックス１内には該ボックス１に自立性を与える自立性付与板３３を折り畳み自在に配設し、該自立性付与板３３を折り畳んだときには該ボックス１を折り畳むことができるようになす。
【００３９】
自立性付与板３３は、図６に示すように、略長方形状本体３３ａにおける相対向する一対の側縁３３ｂ、３３ｂにそれぞれ略長方形状の側板３３ｃ、３３ｃを該側縁３３ｂ、３３ｂを回動中心として回動自在に延設してなる。
【００４０】
図９、図６に示す事例においては、自立性付与板３３は、合成樹脂板、木板、段ボール板、厚紙板等の芯材３５ａ、３５ｃ、３５ｃを布製袋３７内に相互に隔離した状態で収納することにより、略長方形状本体３３ａと略長方形状の側板３３ｃ、３３ｃを形成し、芯材３５ａと芯材３５ｃとの間の布製袋３７部を逢着して折り曲げ自在の前記側縁３３ｂ、３３ｂを形成している。
【００４１】
ボックス１内には一対の自立性付与板３３、３３を配設する。
【００４２】
すなわち、一対の自立性付与板３３、３３における略長方形状本体３３ａ、３３ａをボックス１における相対向する壁部５、５の内面にそれぞれ取り付け、該ボックス１における該壁部５、５の内面と直角方向に連続する二つの隣接壁部７、７の内面には各自立性付与板３３における各側板３３ｃを係脱自在に係止する側板係止手段３９を配設する。
【００４３】
側板係止手段３９は、各隣接壁部７、７の内面における前記各側板３３ｃ、３３ｃの角部３３ｄ、３３ｄに対応する位置に該隣接壁部７、７の内面との間に該側板３３ｃ、３３ｃの角部３３ｄ、３３ｄを挿入する隙間４１を設けて取り付けた第二の可撓性材料片である。図１１参照。
【００４４】
側板係止手段３９たる第二の可撓性材料片は、一例として、略三角形状の布片とする。この布片は、各隣接壁部７、７の内面における前記各側板３３ｃ、３３ｃの角部３３ｄ、３３ｄに対応する位置に逢着する。
【符号の説明】
【００４５】
１  ボックス
３  収納袋
５  壁部
７  隣接壁部
９  底部
９ａ  隅部
１１  蓋部
１２  取っ手
１３  窓部
１５  出し入れ口
１７  ファスナー
１９  排気弁
２０  ベルト
２１  底板
２１ａ  底板構成部
２１ｂ  底板構成部
２２  底部
２２ａ  隅部
２３  中央線
２４  スライドファスナー
２５ａ  芯材
２５ｂ  芯材
２７  布製袋
２９  収納袋係止手段
３１  隙間
３３  自立性付与板
３３ａ  略長方形状本体
３３ｂ  側縁
３３ｃ  側板
３３ｄ  角部
３５ａ  芯材
３５ｃ  芯材
３７  布製袋
３９  側板係止手段
４１  隙間
【図１】
0003155798.tif 000003
【図２】
0003155798.tif 000004
【図３】
0003155798.tif 000005
【図４】
0003155798.tif 000006
【図５】
0003155798.tif 000007
【図６】
0003155798.tif 000008
【図７】
0003155798.tif 000009
【図８】
0003155798.tif 000010
【図９】
0003155798.tif 000011
【図１０】
0003155798.tif 000012
【図１１】
0003155798.tif 000013